(57)【要約】【課題】排泄便で汚れることを抑制するのに適した使い捨てオムツを提供する。【解決手段】本発明の使い捨てのオムツＸは、本体部１０と、臀裂対向部である山型パッド３０と、チューブ４０と、収容部６０とを少なくとも備える。本体部１０は、外装内側シート１２および外装外側シート１３を含む多層構成を有する。好ましくは、本体部１０はトップシート１１を更に含む多層構成を有し、本体部１０における外装内側シート１２とトップシート１１の間には吸収ユニット２０が設けられている。山型パッド３０は、着用者の臀裂部に当接可能であり、且つ、排泄便を受けるための開口部３０ａを有する。チューブ４０は、山型パッド３０の開口部３０ａから収容部６０まで排泄便を導くためのものである。収容部６０は、着用者身体から隔てて排泄便を収容するためのものであり、外装内側シート１２および外装外側シート１３の間に位置する。【選択図】図５
2019146646.tif 000002
【特許請求の範囲】
【請求項１】
外装内側シートおよび外装外側シートを含む多層構成を有する本体部と、
着用者の臀裂部に当接可能であり、且つ排泄便を受けるための先端開口部を有する、臀裂対向部と、
着用者身体から隔てて排泄便を収容するための、前記外装内側シートおよび前記外装外側シートの間に位置する収容部と、
前記臀裂対向部の前記先端開口部から前記収容部まで排泄便を導くための送便管路と、を備える使い捨てオムツ。
【請求項２】
前記収容部から前記先端開口部への排泄便の逆流を抑制するための逆流抑制弁ユニットを更に備える、請求項１に記載の使い捨てオムツ。
【請求項３】
前記逆流抑制弁ユニットは、前記臀裂対向部の前記先端開口部の側と前記収容部の側とを区切る開閉弁膜を備え、当該開閉弁膜は、互いの自由端が集合している複数の片持ち弁を含む、請求項２に記載の使い捨てオムツ。
【請求項４】
前記片持ち弁は、前記先端開口部の側の表面に切り込みを有する、請求項３に記載の使い捨てオムツ。
【請求項５】
前記片持ち弁は、前記先端開口部の側にリブ部を有する、請求項３または４に記載の使い捨てオムツ。
【請求項６】
前記開閉弁膜は前記送便管路における前記収容部側の端部に位置し、当該開閉弁膜の前記片持ち弁における前記収容部側の開スペースを確保するためのカバー体を前記送便管路の前記端部に備える、請求項３から５のいずれか一つに記載の使い捨てオムツ。
【請求項７】
前記臀裂対向部は、肛門周りに貼着するための粘着部を前記先端開口部の周りに有する、請求項１から６のいずれか一つに記載の使い捨てオムツ。
【請求項８】
前記外装内側シートは、組付け用開口部を有し、
前記臀裂対向部は、前記組付け用開口部において伸縮材を介して前記外装内側シートに組み付けられている、請求項１から７のいずれか一つに記載の使い捨てオムツ。
【請求項９】
前記伸縮材は、ひも状ゴム材または伸縮シート材である、請求項８に記載の使い捨てオムツ。
【請求項１０】
前記伸縮シート材および前記臀裂対向部は、前記外装内側シートの前記組付け用開口部を閉塞している、請求項９に記載の使い捨てオムツ。
【請求項１１】
前記臀裂対向部は、前記先端開口部の形成された先端頂辺部と当該先端頂辺部を介して繋がる傾斜面部とを含む、請求項１から１０のいずれか一つに記載の使い捨てオムツ。
【請求項１２】
前記臀裂対向部は、前記先端開口部とは反対の側に当該先端開口部よりも大きな基端開口部を有し、前記送便管路は当該基端開口部を通って前記収容部の側へと延びる、請求項１１に記載の使い捨てオムツ。
【請求項１３】
前記臀裂対向部における前記傾斜面部は開閉脚動作可能である、請求項１１または１２に記載の使い捨てオムツ。
【請求項１４】
前記収容部は、前記本体部における前記外装内側シートおよび前記外装外側シートの間に配される収容袋体を備える、請求項１から１３のいずれか一つに記載の使い捨てオムツ。
【請求項１５】
前記本体部は、前記外装内側シートおよび前記外装外側シートよりも着用者側に位置するトップシートを更に含む多層構成を有し、
前記トップシートと前記外装内側シートとの間に位置する吸収ユニットを更に備える、請求項１から１４のいずれか一つに記載の使い捨てオムツ。
【発明の詳細な説明】
【技術分野】
【０００１】
本発明は、使い捨てタイプのオムツに関する。
【背景技術】
【０００２】
乳幼児用オムツや大人用オムツとして、使い捨てのオムツが多用されている。使い捨てオムツは、パンツタイプやいわゆるテープタイプなどのタイプに応じた形態を有するオムツ本体部、および、排泄物を吸収する役割を担う吸収ユニットを、備える。吸収ユニットは、水分吸収容量の大きな例えば高分子吸水材を内部に有し、使い捨てオムツの着用者からの排泄尿の多くは、この吸収ユニットによって吸収されることとなる。このような使い捨てオムツに関する技術については、例えば下記の特許文献１〜３に記載されている。
【先行技術文献】
【特許文献】
【０００３】
【特許文献１】特開２０１７−７４１１３号公報
【特許文献２】特開２０１７−８６５６５号公報
【特許文献３】特開２０１７−９３９３１号公報
【発明の概要】
【発明が解決しようとする課題】
【０００４】
従来、使い捨てオムツの着用者から排泄される便は、オムツの着用者身体側内部で受けられて、その全部または大部分が着用者身体とオムツとの間に留め置かれる。この留め置かれた排泄便によって着用者身体は汚れてしまう。また、排泄後におけるオムツ替えの作業時には、その作業者の手など身体が、オムツ内に留め置かれた排泄便によって汚れてしまう場合がある。
【０００５】
本発明は、以上のような事情のもとで考え出されたものであって、その目的は、着用者やオムツ替え作業者が排泄便で汚れることを抑制するのに適した使い捨てオムツを提供することにある。
【課題を解決するための手段】
【０００６】
本発明により提供される使い捨てオムツは、本体部と、臀裂対向部と、収容部と、送便管路とを備える。本体部は、外装内側シートおよび外装外側シートを含む多層構成を有する。外装外側シートよりも外装内側シートはオムツの内方側に位置する。臀裂対向部は、着用者の臀裂部に当接可能であり、且つ、排泄便を受けるための先端開口部を有する。収容部は、着用者身体から隔てて排泄便を収容するためのものであり、外装内側シートおよび外装外側シートの間に位置する。送便管路は、臀裂対向部の先端開口部から収容部まで排泄便を導くためのものであり、例えば、柔軟素材よりなるフレキシブル管路である。このような構成の使い捨てオムツは、着用者の肛門に臀裂対向部の先端開口部が対向する位置および姿勢で臀裂対向部が着用者の臀裂部に当接するように、使用者に着用される。また、本発明の使い捨てオムツは、パンツタイプとして構成されたものであってもよいし、いわゆるテープタイプとして構成されたものであってもよいし、これら両タイプ兼用のタイプとして構成されたものであってもよい。
【０００７】
このような使い捨てオムツの着用者から排泄される便は、着用者の臀裂部に当接する臀裂対向部の先端開口部に受容され、送便管路を通って排泄物の収容部に至りうる。本体部の外装内側シートと外装外側シートとの間に排泄物の収容部を本オムツが備えるという上記構成は、着用者からの排泄便を着用者身体から隔てた状態で留め置くのに適し、従って、着用者ないしその身体が排泄便で汚れることを抑制するのに適する。そして、本オムツについて、収容部内に排泄便が収容された状態でオムツ替え作業が行われる場合、作業者の手など身体は、汚れにくい。また、排泄便受容口である先端開口部を有して着用者臀裂部に当接可能な臀裂対向部を本オムツが備えるという上記構成は、着用者からの排泄便を収容部に導くうえで好適であり、ひいては、着用者やオムツ替え作業者が排泄便で汚れることを抑制するのに資する。
【０００８】
以上のように、本使い捨てオムツは、着用者やオムツ替え作業者が排泄便で汚れることを抑制するのに適するのである。
【０００９】
本発明の使い捨てオムツは、好ましくは、上述の収容部から臀裂対向部の先端開口部への排泄便の逆流を抑制するための逆流抑制弁ユニットを更に備える。好ましくは、逆流抑制弁ユニットは、臀裂対向部の先端開口部の側と収容部の側とを区切る開閉弁膜を備え、この開閉弁膜は、互いの自由端が集合している複数の片持ち弁を含む。各片持ち弁は、例えば、自由端に近い部位ほど幅の漸減する片持ち構造を有し、且つ、可撓性を有する。各片持ち弁は、好ましくは、先端開口部の側の表面に切り込みを有する。また、各片持ち弁は、好ましくは、先端開口部の側の表面にリブ部を有する。このリブ部は、例えば、片持ち弁の先端開口部側表面において当該弁の自由端を通過する方向に伸びる形状を有する。これら構成は、収容部に収容された排泄便の当該収容状態を維持するうえで好適であり、ひいては、着用者やオムツ替え作業者が排泄便で汚れることを抑制するのに資する。先端開口部側表面に切り込みを有する片持ち弁は、臀裂対向部の先端開口部側から収容部側へと順方向に排泄便が開閉弁膜を通過する場合（順方向通過の場合）には変形しやすくて開状態をとりやすく、逆方向に排泄便が開閉弁膜を通過しようとする場合には順方向通過の場合よりも変形しにくくて開状態をとりにくい。したがって、片持ち弁がその先端開口部側表面に切り込みを有するという上記構成は、逆流抑制弁ユニットないし開閉弁膜によって排泄便の逆流を抑制するうえで好適である。また、先端開口部側表面にリブ部を有する片持ち弁は、排泄便の上述の順方向通過の場合における片持ち弁の変形のしやすさを維持しつつ、排泄便の上述の逆方向通過の場合における当該片持ち弁の変形のしにくさを確保するうえで、好適である。
【００１０】
本発明の使い捨てオムツにおいては、逆流抑制弁ユニットの開閉弁膜ないしこれをなす一組の片持ち弁は、例えば、送便管路における収容部側の端部（終端）に設けられる。このような場合、本使い捨てオムツは、好ましくは、当該開閉弁膜ないし片持ち弁における収容部側の開スペースを確保するためのカバー体を、送便管路の終端に備える。このような構成は、開閉弁膜ないし片持ち弁が外装外側シートなどに当接してその開動作を阻まれることを防止・抑制するうえで好適であり、従って、開閉弁膜に対する排泄便の上述の順方向通過を確保するうえで好適である。
【００１１】
臀裂対向部は、好ましくは、肛門周りに貼着するための粘着部を先端開口部の周りに有する。このような構成は、着用者からの排泄便を、臀裂対向部の先端開口部によって受容するうえで好適であり、従って、収容部に導くうえで好適である。
【００１２】
好ましくは、外装内側シートは組付け用開口部を有し、臀裂対向部は、組付け用開口部において、伸縮性を有する伸縮材を介して外装内側シートに組み付けられている。伸縮材は、例えば、ひも状ゴム材または伸縮シート材である。このような構成によると、本発明の使い捨てオムツの着用時において、着用者臀裂部に対する臀裂対向部の良好な当接状態ないし密着状態を伸縮材に因る付勢力を利用して実現しやすく、従って、着用者からの排泄便を臀裂対向部の先端開口部によって受容しやすい。
【００１３】
伸縮材として伸縮シート材が採用される場合、当該伸縮シート材および臀裂対向部は、好ましくは、外装内側シートの組付け用開口部を閉塞している。このような構成は、着用者からの排泄便を着用者身体から隔てた状態で収容部内に留め置くのに適し、従って、着用者やオムツ替え作業者が排泄便で汚れることを抑制するのに資する。
【００１４】
臀裂対向部は、好ましくは、先端開口部の形成された先端頂辺部と当該先端頂辺部を介して繋がる一対の傾斜面部とを含む。このような構成の臀裂対向部は、その先端開口部を着用者の肛門に対向させつつ、着用者身体において窪んだ臀裂部に当接しやすい。したがって、このような構成の臀裂対向部は、その先端開口部にて着用者からの排泄便を受容しやすい。
【００１５】
本発明の使い捨てオムツにおいて、好ましくは、臀裂対向部はその先端開口部とは反対の側に当該開口部よりも大きな後端開口部ないし基端開口部を有し、送便管路は当該基端開口部を通って収容部側へと延びる。このような構成によると、送便管路が上述のフレキシブル管路である場合に、当該フレキシブル管路における臀裂対向部先端開口部側の端部（始端）よりも収容部側の端部（終端）が下方の位置をとりやすい。送便管路の終端が始端よりも下方の位置をとりやすいことは、送便管路内での排泄便の逆流を抑制するうえで好ましい。
【００１６】
臀裂対向部における一対の傾斜面部は、好ましくは、開閉脚動作可能に構成されている。すなわち、臀裂対向部において先端頂辺部を介して繋がる一対の傾斜面部の開き角度が大きくなる開脚動と、開脚後に当該開き角度が小さくなる閉脚動との、両動作が可能なように、一対の傾斜面部は構成されているのが好ましい。このような臀裂対向部においては、一対の傾斜面部が開くほど、即ち、一対の傾斜面部の開き角度が大きくなるほど、先端頂辺部にて開口している先端開口部の開口サイズは大きくなる傾向にある。このような臀裂対向部が外装内側シートの組付け用開口部において伸縮材を介して当該外装内側シートに組み付けられている場合、着用者臀裂部の肛門から排泄されつつある便が臀裂対向部の先端頂辺部ないし先端開口部に対して押圧作用を及ぼすと、伸縮材を介して外装内側シートに組み付けられている臀裂対向部における一対の傾斜面部が開脚動して先端開口部の開口サイズが大きくなり、従って、当該開口部にて排泄便が受容されやすくなる。
【００１７】
収容部は、好ましくは、本体部における外装内側シートと外装外側シートとの間に配される収容袋体を有する。このような構成において、本オムツの着用者からの排泄便は、収容袋体内に収容されることとなる。当該構成は、着用者からの排泄便を着用者身体から隔てた状態で留め置くのに適し、従って、オムツ着用者やオムツ替え作業者が排泄便で汚れることを抑制するのに資する。
【００１８】
本発明の使い捨てオムツにおける本体部は、上述の外装内側シートおよび外装外側シートとともにトップシートを更に含む多層構成を有するのが好ましい。当該多層構成において、両外装シートよりもトップシートはオムツの内方側すなわち着用者側に位置する。そして、本オムツは、排泄尿など排泄物を吸収する機能を担う吸収ユニットをトップシートと外装内側シートの間に更に備えるのが好ましい。
【図面の簡単な説明】
【００１９】
【図１】本発明の実施形態に係る使い捨てオムツの斜視図である。
【図２】図１に示す使い捨てオムツの展開平面図である。
【図３】図１に示す使い捨てオムツの一部省略展開平面図である。
【図４】図２の線IV−IVに沿った断面模式図である。
【図５】図１に示す使い捨てオムツの概念断面構成図である。
【図６】本発明の実施形態に係る使い捨てオムツにおける一の部分構造の斜視図である。
【図７】図６の線VII−VIIに沿った断面図である。
【図８】図６の線VIII−VIIIに沿った断面図である。
【図９】（ａ）は、本発明の実施形態に係る使い捨てオムツにおける逆流抑制弁ユニットをなす開閉弁膜の一の平面図であり、（ｂ）は、当該開閉弁膜の他の平面図であり、（ｃ）は、当該開閉弁膜における一の片持ち弁の拡大斜視図である。
【図１０】本発明の実施形態に係る使い捨てオムツの一変形例を表す。
【発明を実施するための形態】
【００２０】
図１から図５は、本発明に係る使い捨てオムツの一の実施形態であるオムツＸを表す。図１はオムツＸの斜視図であり、図２はオムツＸの展開平面図であり、図３はオムツＸの一部省略展開平面図である。図４は、図２の線IV−IVに沿った断面模式図である。また、図５はオムツＸの概念断面構成図である。
【００２１】
オムツＸは、本体部１０と、吸収ユニット２０と、山型パッド３０と、チューブ４０と、逆流抑制弁ユニット５０と、収容部６０とを備える使い捨てオムツであり、本実施形態ではパンツタイプとして構成されている。オムツＸの使用にあたっては、山型パッド３０が着用者の臀裂部に当接するように、オムツＸは使用者に着用される。
【００２２】
本体部１０は、本実施形態では図１に示すように、ウエスト開口部１０ａと脚開口部１０ｂ,１０ｂとを伴うパンツ型の形状を有する。この本体部１０は、展開状態にて図２や図３に示す平面視形状を有するシート体であって、図４や図５に表れているように、トップシート１１（図３にて省略）と、外装内側シート１２と、外装外側シート１３とを含む多層構成を有する。この多層シート体における図２に示す端部Ｅ,Ｅどうしの接合、および、図２に示す端部Ｅ',Ｅ'どうしの接合を経て、本体部１０ないしオムツＸは立体化されたものである。
【００２３】
トップシート１１は、本体部１０において着用者側最表層をなし、且つ、液透過性を有する。また、トップシート１１は、山型パッド３０の配設箇所にて開口する開口部１１ａを有し、例えばこの開口部１１ａまわりなど所定の箇所が外装内側シート１２と接合されている。この接合には、例えばホットメルト型接着剤を利用することができる。このようなトップシート１１の素材としては、例えば、不織布、織布、メッシュシート、および、液透過孔の形成されたプラスチックフィルムが、挙げられる。トップシート用素材の不織布や織布をなすための繊維の構成材料としては、例えば、ポリオレフィン、ポリエステル、ナイロン、セルロース、レーヨン、およびコットンが挙げられる。ポリオレフィンとしては、例えば、ポリプロピレンおよびポリエチレンが挙げられる。ポリエステルとしては、例えば、ポリエチレンテレフタレート（ＰＥＴ）およびポリブチレンテレフタレートが挙げられる。また、トップシート用素材の不織布や織布をなすための繊維は、好ましくは、界面活性剤での表面処理によって表面の親水化が図られた疎水性繊維、または親水性繊維である。
【００２４】
本体部１０における外装内側シート１２および外装外側シート１３は、排泄物における液分がオムツＸの内側から外側に透過するのを防止するための液不透過性を有し、且つ、それらの外縁端部どうしが本実施形態では全周にわたって接合されている。この接合には、例えばホットメルト型接着剤を利用することができる。外装内側シート１２は、山型パッド３０の組付け箇所である開口部１２ａ（組付け用開口部）を有する。各外装シートの素材としては、例えば、不織布、プラスチックフィルム、および、不織布とプラスチックフィルムとのラミネート材が、挙げられる。外装シート用素材の不織布をなすための繊維の構成材料としては、例えば、ポリオレフィン、ポリエステル、およびナイロンが挙げられる。外装シート用素材の不織布をなすための繊維は、好ましくは疎水性繊維である。このような外装内側シート１２および外装外側シート１３は、防水処理が施されていてもよい。
【００２５】
吸収ユニット２０は、オムツＸにおいて排泄物中の排泄尿など液分を吸収する機能を担うものであり、図４に示すように、本体部１０におけるトップシート１１と外装内側シート１２との間に配されている。また、吸収ユニット２０は、トップシート１１および／または外装内側シート１２に対して接合されている。この接合には、例えばホットメルト型接着剤を利用することができる。
【００２６】
このような吸収ユニット２０は、例えば、水分吸収容量の大きなシート状の高分子吸水材と、この高分子吸水材を被覆して保持するための液透過性シートとを有する。高分子吸水材の構成材料としては、例えば、ポリアクリル酸系樹脂、ポリアスパラギン酸系樹脂、セルロース系樹脂が挙げられる。液透過性シートとしては、例えば綿状パルプが挙げられる。また、吸収ユニット２０ないしその表面の液透過性シートと上述のトップシート１１との間には、吸収ユニット２０に向けての液分移動速度を高める目的で例えば、吸水紙が配されてもよい。
【００２７】
山型パッド３０は、着用者臀裂部に当接可能な臀裂対向部であり、図６から図８によく表れているように、頂辺部３１と、これを介して繋がり且つ開閉脚動作可能な一対の傾斜面部３２とを有する。頂辺部３１を介して繋がる一対の傾斜面部３２は、具体的には、その開き角度が大きくなる開脚動と、開脚後に当該開き角度が小さくなる閉脚動とが可能なように、構成されている。一対の傾斜面部３２の閉状態にあっては開口部３０ａ,３０ｂを開口端として山型パッド３０内を貫通する貫通路が形成される形状を、山型パッド３０は有する。開口部３０ａは、頂辺部３１側にて排泄便を受けるための先端開口部である。開口部３０ｂは、山型パッド３０において頂辺部３１とは反対の側に位置する基端開口部であり、開口部３０ａよりも大きい（開口部３０ａの最大径よりも開口部３０ｂの最大径の方が大きい）。このような山型パッド３０は、柔軟性と形状復帰性とを併せもつスポンジ材よりなる。スポンジ材としては、例えば、セルローススポンジ、ポリウレタンスポンジ、およびメラミンスポンジが挙げられる。また、山型パッド３０の頂辺部３１における開口部３０ａ周りには、肛門周りに貼着するための粘着部３３が設けられている。
【００２８】
また、山型パッド３０は、図３に示すように、上述の本体部１０の外装内側シート１２に対し、その開口部１２ａにて伸縮材１４を介して組み付けられている。伸縮材は、本実施形態では伸縮シート材である。これら山型パッド３０および伸縮シート材は、外装内側シート１２の開口部１２ａを閉塞している。伸縮シート材としては、例えば、フィルム状弾性素材またはネット状弾性素材とその片面または両面ともに貼り合わせられた不織布との積層構造を有するシート体が挙げられる。このような伸縮シート材の代わりにひも状ゴム材を伸縮材として用いてもよい。
【００２９】
チューブ４０は、送便管路であって、山型パッド３０の開口部３０ａから後述の収容部６０まで排泄便を導くための経路をなし、当該経路の始端側の端部４１および終端側の端部４２を有する。チューブ４０の端部４１は山型パッド３０の開口部３０ａと連結され、当該チューブ４０は、山型パッド３０に形成され得る開口部３０ｂを通って収容部６０の側へと延びる。このようなチューブ４０は、本実施形態では柔軟素材よりなるフレキシブル管路であり、例えばプラスチックフィルム製またはゴム製である。
【００３０】
逆流抑制弁ユニット５０は、後述の収容部６０から山型パッド３０の開口部３０ａ側への排泄便の逆流を防止・抑制するためのものであり、本実施形態では、チューブ４０端部４２に付設されて開口部３０ａ側と収容部６０側とを区切る開閉弁膜を備える。図９に示すように、この開閉弁膜は、互いの自由端５１ａが集合している複数の片持ち弁５１を備える。片持ち弁５１は、自由端５１ａに近い部位ほど幅の漸減する片持ち構造を有し、且つ、可撓性を有する。片持ち弁５１は、その片面（開口部３０ａの側の面５１Ｓ）に複数の切り込み５１ｂを有する。切り込み５１ｂの延び方向と片持ち弁５１の延び方向とは、好ましくは直交している。また、片持ち弁５１は、その面５１Ｓ側にリブ５１ｃを有する。リブ５１ｃは、本実施形態では、片持ち弁５１の自由端５１ａを通過する方向に伸びる形状を有する。このような開閉弁膜ないし片持ち弁５１は、例えばゴム製である。
【００３１】
収容部６０は、着用者身体から隔てて排泄便を収容するためのものであって、図４や図５に表れているように、外装内側シート１２および外装外側シート１３の間に設けられる。本実施形態において、収容部６０は、外装内側シート１２の上述の開口部１２ａ周りに沿って開口部周りが接合されている収容袋体６１を備える。接合には、例えばホットメルト型接着剤を利用することができる。
【００３２】
以上のような構成を有するオムツＸの使用にあたっては、着用者の肛門に山型パッド３０の開口部３０ａが対向する位置・姿勢で山型パッド３０が着用者の臀裂部に当接するように、オムツＸは使用者に着用される。そして、着用者から排泄される便は、着用者の臀裂部に当接する山型パッド３０の開口部３０ａに受容され、逆流抑制弁ユニット５０の付設されたチューブ４０を通って収容部６０に至りうる。その排泄便は、収容袋体６１内に収容されることとなる。
【００３３】
本体部１０の外装内側シート１２と外装外側シート１３との間に排泄物の収容部６０をオムツＸが備えるという上述の構成は、着用者からの排泄便を着用者身体から隔てた状態で留め置くのに適し、従って、着用者ないしその身体が排泄便で汚れることを抑制するのに適する。そして、オムツＸについて、収容部６０内に排泄便が収容された状態でオムツ替え作業が行われる場合、作業者の手など身体は、汚れにくい。また、排泄便受容口である開口部３０ａを有して着用者臀裂部に当接可能な山型パッド３０をオムツＸが備えるという上述の構成は、着用者からの排泄便を収容部６０に導くうえで好適であり、ひいては、着用者やオムツ替え作業者が排泄便で汚れることを抑制するのに資する。
【００３４】
以上のように、オムツＸは、着用者やオムツ替え作業者が排泄便で汚れることを抑制するのに適する。このようなオムツＸは、乳幼児用オムツとして構成されてもよいし、大人用オムツとして構成されてもよい。また、オムツＸは、上述のようなパンツタイプの使い捨てオムツとして構成されるのに代えて、オムツ止着用の例えば一対のファスニングテープを伴うテープタイプの使い捨てオムツとして構成されてもよい。
【００３５】
また、オムツＸは、上述のように、収容部６０から山型パッド３０の開口部３０ａへの排泄便の逆流を防止・抑制するための、開口部３０ａ側と収容部６０側とを区切る開閉弁膜たる逆流抑制弁ユニット５０を更に備える。開閉弁膜は、上述のように、互いの自由端５１ａが集合している複数の片持ち弁５１を含む。片持ち弁５１は、上述のように、自由端５１ａに近い部位ほど幅の漸減する片持ち構造を有し、可撓性を有し、開口部３０ａ側の面５１Ｓに複数の切り込み５１ｂを有し、且つ、面５１Ｓ側にリブ５１ｃを有する。これら構成は、収容部６０に収容された排泄便の当該収容状態を維持するうえで好適であり、ひいては、着用者やオムツ替え作業者が排泄便で汚れることを抑制するのに資する。開口部３０ａ側の面５１Ｓに切り込み５１ｂを有する片持ち弁５１は、山型パッド３０の開口部３０ａ側から収容部６０側へと排泄便が開閉弁膜を通過する場合（順方向通過の場合）には変形しやすくて開状態をとりやすく、逆方向に排泄便が開閉弁膜を通過しようとする場合には順方向通過の場合よりも変形しにくくて開状態をとりにくい。したがって、片持ち弁５１がその面５１Ｓに切り込み５１ｂを有するという上述の構成は、逆流抑制弁ユニット５０ないし開閉弁膜によって排泄便の逆流を抑制するうえで好適である。また、面５１Ｓ側にリブ５１ｃを有する片持ち弁５１は、排泄便の上述の順方向通過の場合における片持ち弁５１の変形のしやすさを維持しつつ、排泄便の上述の逆方向通過の場合における当該片持ち弁５１の変形のしにくさを確保するうえで、好適である。
【００３６】
山型パッド３０は、上述のように、外装内側シート１２の開口部１２ａにて、伸縮材１４を介して外装内側シート１２に組み付けられている。このような構成によると、オムツＸの着用時において、着用者臀裂部に対する山型パッド３０の良好な当接状態ないし密着状態を伸縮材１４に因る付勢力を利用して実現しやすく、従って、着用者からの排泄便を山型パッド３０の開口部３０ａによって受容しやすい。
【００３７】
伸縮材１４として伸縮シート材が採用される本実施形態では、当該伸縮材１４および山型パッド３０は、上述のように、外装内側シート１２の開口部１２ａを図３に示すように閉塞している。このような構成は、着用者からの排泄便を着用者身体から隔てた状態で収容部６０内に留め置くのに適し、従って、着用者やオムツ替え作業者が排泄便で汚れることを抑制するのに資する。
【００３８】
山型パッド３０は、上述のように、開口部３０ａの形成された頂辺部３１と当該頂辺部３１を介して繋がる一対の傾斜面部３２とを含む。このような構成の山型パッド３０は、その開口部３０ａを着用者の肛門に対向させつつ、着用者身体において窪んだ臀裂部に当接しやすい。したがって、このような構成の山型パッド３０は、その開口部３０ａにて着用者からの排泄便を受容しやすい。
【００３９】
山型パッド３０は、上述のように、その開口部３０ａ（先端開口部）とは反対の側に当該開口部３０ａよりも大きな開口部３０ｂ（基端開口部）を有し、チューブ４０は開口部３０ｂを通って収容部６０側へと延びる。このような構成によると、柔軟素材よりなるチューブ４０における収容部６０側の端部（終端）が山型パッド３０開口部３０ａ側の端部（始端）よりも鉛直方向下方の位置をとりやすい。チューブ４０の終端が始端よりも鉛直方向下方の位置をとりやすいことは、チューブ４０内での排泄便の逆流を抑制するうえで好ましい。
【００４０】
山型パッド３０における一対の傾斜面部３２は、上述のように、開閉脚動作可能に構成されている。このような山型パッド３０においては、一対の傾斜面部３２が開くほど、即ち、一対の傾斜面部３２の開き角度が大きくなるほど、頂辺部３１にて開口している開口部３０ａの開口サイズは大きくなる傾向にある。このような山型パッド３０が外装内側シート１２の開口部１２ａにて伸縮材１４を介して当該外装内側シート１２に組み付けられている本実施形態では、着用者臀裂部の肛門から排泄されつつある便が山型パッド３０の頂辺部３１ないし開口部３０ａに対して押圧作用を及ぼすと、伸縮材１４を介して外装内側シート１２に組み付けられている山型パッド３０における一対の傾斜面部３２が開脚動して開口部３０ａの開口サイズが大きくなり、従って、当該開口部３０ａにて排泄便が受容されやすくなる。
【００４１】
以上のようなオムツＸは、図１０に示すように、送便管路であるチューブ４０の端部４２（終端）に組み付けられたカバー体７０を備えてもよい。カバー体７０は、上述の逆流抑制弁ユニット５０の開閉弁膜ないしこれをなす一組の片持ち弁５１における収容部６０側の開スペースを確保ないし形成する機能を有する開口カバーであり、チューブ４０の端部４２から延出する筒状体である。本実施形態では、カバー体７０は、円筒形状を有し、且つその開口端７１側に切り欠き部７０ａを有する。このようなカバー体７０は、その機能を発揮できる程度の形状維持性に加えて柔軟性と形状復帰性を併せもつスポンジ材よりなる。スポンジ材としては、例えば、セルローススポンジ、ポリウレタンスポンジ、およびメラミンスポンジが挙げられる。
【００４２】
オムツＸがこのようなカバー体７０を具備するという構成は、片持ち弁５１が外装外側シート１３などに当接してその開動作を阻まれることを防止・抑制するうえで好適であり、従って、開閉弁膜に対する排泄便の上述の順方向通過を確保するうえで好適である。カバー体７０が円筒形状を有するという構成は、カバー体７０構成材料として比較的に柔軟な素材を採用しつつも当該カバー体７０の形状維持性ひいては上記の開スペース確保機能を適切に発現さえるうえで好適である。また、カバー体７０における上述の切り欠き部７０ａは、カバー体７０の開口端７１側が外装外側シート１３などに当接している状態において、排泄便等の通過口として機能しうる。したがって、カバー体７０が切り欠き部７０ａを有するという構成は、カバー体７０の開口端７１側が外装外側シート１３などに当接している状態で排泄便等が開閉弁膜を順方向に通過した場合に、その排泄便等を収容部６０に適切に導くうえで、好適である。
【符号の説明】
【００４３】
Ｘ          オムツ
１０        本体部
１１        トップシート
１２        外装内側シート
１２ａ      開口部（組付け用開口部）
１３        外装外側シート
１４        伸縮材
２０        吸収ユニット
３０        山型パッド（臀裂対向部）
３０ａ      開口部（先端開口部）
３１        頂辺部（先端頂辺部）
３２        傾斜面部
４０        チューブ（送便管路）
４１，４２  端部
５０        逆流抑制弁ユニット
５１        片持ち弁
５１ａ      自由端
５１ｂ      切り込み
５１ｃ      リブ（リブ部）
６０        収容部
６１        収容袋体
７０        カバー体
７０ａ      切り欠き部
７１        開口端
【図１】
2019146646.tif 000003
【図２】
2019146646.tif 000004
【図３】
2019146646.tif 000005
【図４】
2019146646.tif 000006
【図５】
2019146646.tif 000007
【図６】
2019146646.tif 000008
【図７】
2019146646.tif 000009
【図８】
2019146646.tif 000010
【図９】
2019146646.tif 000011
【図１０】
2019146646.tif 000012
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
外装内側シートおよび外装外側シートを含む多層構成を有する本体部と、
着用者の臀裂部に当接可能であり、排泄便を受けるための先端開口部を有し、且つ、肛門周りに貼着するための粘着部を前記先端開口部の周りに有する、臀裂対向部と、
着用者身体から隔てて排泄便を収容するための、前記外装内側シートおよび前記外装外側シートの間に位置する収容部と、
前記臀裂対向部の前記先端開口部から前記収容部まで排泄便を導くための送便管路と、を備える使い捨てオムツ。
【請求項２】
前記収容部から前記先端開口部への排泄便の逆流を抑制するための逆流抑制弁ユニットを更に備える、請求項１に記載の使い捨てオムツ。
【請求項３】
前記逆流抑制弁ユニットは、前記臀裂対向部の前記先端開口部の側と前記収容部の側とを区切る開閉弁膜を備え、当該開閉弁膜は、互いの自由端が集合している複数の片持ち弁を含む、請求項２に記載の使い捨てオムツ。
【請求項４】
前記片持ち弁は、前記先端開口部の側の表面に切り込みを有する、請求項３に記載の使い捨てオムツ。
【請求項５】
前記片持ち弁は、前記先端開口部の側にリブ部を有する、請求項３または４に記載の使い捨てオムツ。
【請求項６】
前記開閉弁膜は前記送便管路における前記収容部側の端部に位置し、当該開閉弁膜の前記片持ち弁における前記収容部側の開スペースを確保するためのカバー体を前記送便管路の前記端部に備える、請求項３から５のいずれか一つに記載の使い捨てオムツ。
【請求項７】
前記外装内側シートは、組付け用開口部を有し、
前記臀裂対向部は、前記組付け用開口部において伸縮材を介して前記外装内側シートに組み付けられている、請求項１から６のいずれか一つに記載の使い捨てオムツ。
【請求項８】
前記伸縮材は、ひも状ゴム材または伸縮シート材である、請求項７に記載の使い捨てオムツ。
【請求項９】
前記伸縮シート材および前記臀裂対向部は、前記外装内側シートの前記組付け用開口部を閉塞している、請求項８に記載の使い捨てオムツ。
【請求項１０】
前記臀裂対向部は、前記先端開口部の形成された先端頂辺部と当該先端頂辺部を介して繋がる傾斜面部とを含む、請求項１から９のいずれか一つに記載の使い捨てオムツ。
【請求項１１】
前記臀裂対向部は、前記先端開口部とは反対の側に当該先端開口部よりも大きな基端開口部を有し、前記送便管路は当該基端開口部を通って前記収容部の側へと延びる、請求項１０に記載の使い捨てオムツ。
【請求項１２】
前記臀裂対向部における前記傾斜面部は開閉脚動作可能である、請求項１０または１１に記載の使い捨てオムツ。
【請求項１３】
前記収容部は、前記本体部における前記外装内側シートおよび前記外装外側シートの間に配される収容袋体を備える、請求項１から１２のいずれか一つに記載の使い捨てオムツ。
【請求項１４】
前記本体部は、前記外装内側シートおよび前記外装外側シートよりも着用者側に位置するトップシートを更に含む多層構成を有し、
前記トップシートと前記外装内側シートとの間に位置する吸収ユニットを更に備える、請求項１から１３のいずれか一つに記載の使い捨てオムツ。